(57)【要約】【課題】  水泳用ゴーグルのヘッドバンドが硬材質のリムの両側に固定され，軟材質の保護パッドが顔面と接触し，ブリッジが良好な支持性を具え，水泳用ゴーグルの着用時の快適性を提供しリムの変形を防止できるようにした水泳用ゴーグルの提供。【解決手段】  ヘッドバンド連接シートを具え並びにレンズが設けられた硬材質の左リムと右リム、及びブリッジと保護パッドを具えて左リムと右リムと一体に接続される軟材質の連接フレームを具えた水泳用ゴーグルにおいて、左リムと右リムが硬材質とされ、各リムが内表面、外表面、及び内、外表面の間に位置する周面を具え、そのうち内表面に階段状に形成された被覆枠が設けられ、且つ該被覆枠の外側にヘッドバンド連接シートが設けられ、また、該リムのヘッドバンド連接シートと反対の一側の外側に支持体が設けられている。【選択図】        図１
0003105097.tif 000002
【実用新案登録請求の範囲】
【請求項１】
一体式水泳用ゴーグルにおいて、左リムと右リム、ヘッドバンド、連接フレームを具え、
該左リムと右リムは硬材質とされ、各リムが内表面、外表面及び内表面と外表面の間に位置する周面を具え、且つ内表面と外表面の間にレンズが設けられ、該内表面に被覆枠が設けられ、該被覆枠が内表面と階段状を形成し、且つ該被覆枠の外側にヘッドバンド連接シートが設けられ、該ヘッドバンド連接シートは本体、該本体上のヘッドバンド穿孔を具え、別に、該ヘッドバンド連接シートと反対の一側に支持体が設けられ、
該ヘッドバンドは左リムと右リムのヘッドバンド穿孔に組付けられ、
該連接フレームは、左リム、右リムを一体に接続し、軟材質とされ、ブリッジ、ブリッジ両端に接続された左保護パッドと右保護パッド、及びブリッジと左、右保護パッドの上、下端に接続された連接部を具え、該ブリッジの両端の接続部分に組付け溝が設けられて左リム、右リムの支持体を収容し、連接部が被覆枠に組付けられたことを特徴とする、水泳用ゴーグル。
【請求項２】
請求項１記載の水泳用ゴーグルにおいて、左リムと右リムの被覆枠に延伸部が設けられ、該延伸部は支持体の下方に位置し、並びに少なくとも一つの折り曲げ点で一体に接続されたことを特徴とする、水泳用ゴーグル。
【請求項３】
請求項２記載の水泳用ゴーグルにおいて、ヘッドバンド連接シートの本体と左、右リムの内表面が距離を保持し、被覆空間が増されたことを特徴とする、水泳用ゴーグル。
【請求項４】
請求項２記載の水泳用ゴーグルにおいて、被覆枠とヘッドバンド連接シートの本体の間に連接体が設けられ、該本体と左、右リムの内表面の距離が増されて連接フレームの被覆枠に対する被覆抓持効果が増されたことを特徴とする、水泳用ゴーグル。
【請求項５】
請求項２記載の水泳用ゴーグルにおいて、支持体が左、右リムの被覆枠より一体に延伸されたことを特徴とする、水泳用ゴーグル。
【請求項６】
請求項２記載の水泳用ゴーグルにおいて、レンズが左、右リムの内、外表面の間に埋め込み式に設置されたことを特徴とする、水泳用ゴーグル。
【考案の詳細な説明】
【技術分野】
【０００１】
本考案は一種の水泳用ゴーグルに係り、特に、ブリッジと保護パッドが軟材質で一体成形され、且つ硬材質のリムを一体式に被覆し、ブリッジが良好な支持と角度微調整の効果を有し、着用時の快適性を提供しヘッドバンドの引っ張りによる変形の影響を受けないようにした水泳用ゴーグルに関する。
【背景技術】
【０００２】
周知のリム、ブリッジ及び保護パッドが一体式とされた水泳用ゴーグルは着用時の快適性を考慮するため、軟材質で形成されているが、軟材質のリムが着用時にヘッドバンドによる引っ張りを受けて変形するのを防止するため、このような水泳用ゴーグルはブリッジ、リムの構造がいずれも強化設計とされている。本件出願による特許文献１にはその典型的な設計が記載されている。それは、リム、ブリッジ及び保護パッドが一体式の水泳用ゴーグルにおいて、ブリッジの断面がアーチ形とされ、アーチ形の中間が厚く、両側が薄く形成され、また、二つのリムの外側に止動部が形成され、ヘッドバンドに設けられた押し板が該止動部に形成され、これにより、ヘッドバンドに引っ張られる時、引っ張りの力が該止動部とブリッジの中央の厚い部分に分散され、二つのリムの変形を防止する。
【０００３】
しかし、このような一体式の水泳用ゴーグルのブリッジは軟材質で二つのリムの内側に固定され、支持効果は比較的低く、且つ幅が一定の範囲にあるため、着用者の鼻梁形態に合わせることができず、着用者の鼻梁が比較的高い場合には、支持効果の良くないブリッジにより鼻梁が圧迫されて不快な感覚を受ける。
【０００４】
【特許文献１】台湾実用新案登録８３２００４０５号明細書
【考案の開示】
【考案が解決しようとする課題】
【０００５】
本考案は一種の一体式水泳用ゴーグルを提供することを目的とし、それは、着用して快適で且つリムが変形せず、水泳用ゴーグルの保護パッドとブリッジは軟材質で形成され、硬材質のリムの内側を一体式に被覆し、これにより、水泳用ゴーグルのヘッドバンドが硬材質のリムの両側に固定され、軟材質の保護パッドが顔面と接触し、また、ブリッジが良好な支持性と角度微調整の機能を提供し、これにより水泳用ゴーグル着用時に快適で、リムの変形の恐れがないものとされる。
【０００６】
上記目的を達成するため、本考案の水泳用ゴーグルは、ヘッドバンド連接シートを具え並びにレンズが設けられた硬材質の左リムと右リム、及びブリッジと保護パッドを具えて左リムと右リムと一体に接続される軟材質の連接フレームを具えた水泳用ゴーグルにおいて、左リムと右リムが硬材質とされ、各リムが内表面、外表面、及び内、外表面の間に位置する周面を具え、そのうち内表面に階段状に形成された被覆枠が設けられ、且つ該被覆枠の外側にヘッドバンド連接シートが設けられ、また、該リムのヘッドバンド連接シートと反対の一側に外側に傾斜する支持体が設けられてたことを特徴としている。
【０００７】
本考案の更なる特徴は、ヘッドバンド連接シートが連接体を具え、該連接体は被覆枠に接続されて連接フレームによる延伸被覆に供されることにある。
【０００８】
以上の特徴により、左リムと右リムの被覆枠に延伸部が設けられ、該延伸部は支持体の下方に位置し並びに相互に少なくとも一つの折り曲げ点で相互に接続されて一体に接続された支持体に更に撓み性を具備させる。
【課題を解決するための手段】
【０００９】
請求項１の考案は、一体式水泳用ゴーグルにおいて、左リムと右リム、ヘッドバンド、連接フレームを具え、
該左リムと右リムは硬材質とされ、各リムが内表面、外表面及び内表面と外表面の間に位置する周面を具え、且つ内表面と外表面の間にレンズが設けられ、該内表面に被覆枠が設けられ、該被覆枠が内表面と階段状を形成し、且つ該被覆枠の外側にヘッドバンド連接シートが設けられ、該ヘッドバンド連接シートは本体、該本体上のヘッドバンド穿孔を具え、別に、該ヘッドバンド連接シートと反対の一側に支持体が設けられ、
該ヘッドバンドは左リムと右リムのヘッドバンド穿孔に組付けられ、
該連接フレームは、左リム、右リムを一体に接続し、軟材質とされ、ブリッジ、ブリッジ両端に接続された左保護パッドと右保護パッド、及びブリッジと左、右保護パッドの上、下端に接続された連接部を具え、該ブリッジの両端の接続部分に組付け溝が設けられて左リム、右リムの支持体を収容し、連接部が被覆枠に組付けられたことを特徴とする、水泳用ゴーグルとしている。
請求項２の考案は、請求項１記載の水泳用ゴーグルにおいて、左リムと右リムの被覆枠に延伸部が設けられ、該延伸部は支持体の下方に位置し、並びに少なくとも一つの折り曲げ点で一体に接続されたことを特徴とする、水泳用ゴーグルとしている。
請求項３の考案は、請求項２記載の水泳用ゴーグルにおいて、ヘッドバンド連接シートの本体と左、右リムの内表面が距離を保持し、被覆空間が増されたことを特徴とする、水泳用ゴーグルとしている。
請求項４の考案は、請求項２記載の水泳用ゴーグルにおいて、被覆枠とヘッドバンド連接シートの本体の間に連接体が設けられ、該本体と左、右リムの内表面の距離が増されて連接フレームの被覆枠に対する被覆抓持効果が増されたことを特徴とする、水泳用ゴーグルとしている。
請求項５の考案は、請求項２記載の水泳用ゴーグルにおいて、支持体が左、右リムの被覆枠より一体に延伸されたことを特徴とする、水泳用ゴーグルとしている。
請求項６の考案は、請求項２記載の水泳用ゴーグルにおいて、レンズが左、右リムの内、外表面の間に埋め込み式に設置されたことを特徴とする、水泳用ゴーグルとしている。
【考案の効果】
【００１０】
本考案の水泳用ゴーグルは、着用して快適で且つリムが変形せず、水泳用ゴーグルの保護パッドとブリッジは軟材質で形成され、硬材質のリムの内側を一体式に被覆し、これにより、水泳用ゴーグルのヘッドバンドが硬材質のリムの両側に固定され、軟材質の保護パッドが顔面と接触し、また、ブリッジが良好な支持性と角度微調整の機能を提供し、これにより水泳用ゴーグル着用時に快適で、リムの変形の恐れがない。
【考案を実施するための最良の形態】
【００１１】
図１を参照されたい。本考案の一体式水泳用ゴーグル１は、左リム２と右リム３、連接フレーム４及びヘッドバンド（図示せず）を具えている。そのうち、左リム２と右リム３は硬材質とされ、各リムは内表面２０、３０、外表面２１、３１及び内表面２０、３０と外表面２１、３１の間に位置する周面２２、３２を具え、且つ内表面２０、３０と外表面２１、３１の間に設けられた収容溝２０１、３０１にレンズ５が埋め込まれる。該内表面２０、３０に被覆枠２８、３８が設けられ、該被覆枠２８、３８は内表面２０、３０と階段状を形成し、且つ該被覆枠２８、３８の外側に内表面２０、３０との間に距離を有するヘッドバンド連接シート２３、３３が設けられ、図５に示されるように、それは本体２３１、３３１、該本体２３１、３３１に設けられたヘッドバンド穿孔２３２、３３２、及び連接体２３３、３３３を具えている。該連接体２３３、３３３により本体２３１、３３１と内表面２０、３０の間の距離が形成され、これにより連接フレーム４の被覆枠２８、３８に対する被覆抓持効果が良好となる。該ヘッドバンド連接シート４と反対の一側に支持体２４、３４が設けられ、該支持体２４、３４は周面２２、３２より一体に延伸され、且つ被覆枠２８、３８に延伸部２９、３９が設けられ、それは支持体２４、３４の下方に位置し、二つの延伸部２９、３９は折り曲げ点８０で相互に接続され一体とされ、これにより接続され一体とされた支持体２４、３４が更に撓み性を具備する。
【００１２】
該連接フレーム４は、左リム２と右リム３を一体に連接し、軟材質とされ、ブリッジ４０、ブリッジ４０の両端に接続された左保護パッド４１と右保護パッド４２、及びブリッジ４０と左保護パッド４１、右保護パッド４２の上端、下端に接続された連接部４３を具えている。そのうち、ブリッジ４０は図１に示されるように、両端に組付け溝４０１、４０２を具え、該組付け溝４０１、４０２は一体成形時に支持体２４、３４を収容し、連接部４３は被覆枠２８、３８を被覆する。
【００１３】
図２、３に示されるように、本考案の水泳用ゴーグル１は組立後に、左リム２、右リム３が連接フレーム４と一体成形時に接続されて一体とされている。図１に示されるように、該支持体２４の延伸部２９、３９はブリッジ４０が一体成形される時に組付け溝４０１内に被覆され、即ち、左リム２の内側がブリッジ４０により延伸部２９、３９が被覆されるほかに、ブリッジ４０の組付け溝４０１、４０２に支持体２４、３４が組付けられ（図６）、有効な接続が達成される。左リム２の周囲は被覆枠２８が連接フレーム４一体成形時に被覆抓持され（図７）、左リム２の周囲に有効に接続される。ま、連接体２３３により連接フレーム４が左リム２の外側に対して有効に被覆抓持し、左リム２の周囲が連接フレーム４により強固に被覆される。ゆえに、本考案の水泳用ゴーグルは軟材質のブリッジ４０と左保護パッド４１、右保護パッド４２の一体成形時に硬材質の左リム２、右リム３が一体式に被覆され、ヘッドバンドが硬材質の左リム２、右リム３のヘッドバンド穿孔２３２、３３２に固定され、軟材質の左保護パッド４１、右保護パッド４２が顔面と接触し、また、支持体２４、３４により連接フレーム４のブリッジ４０が良好な支持性を得て、並びに延伸部２９、３９の折り曲げ点８０により着用時の鼻梁との適切な接合を提供する。ゆえに水泳用ゴーグルの着用時の快適性を提供するのみならず、リムの変形を防止できる。
【００１４】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００１５】
【図１】本考案の水泳用ゴーグルの立体分解図である。
【図２】図１の立体組合せ図である。
【図３】図２の平面図である。
【図４】図３の４−４断面図である。
【図５】図３の５−５断面図である。
【図６】図３の６−６断面図である。
【図７】図３の７−７断面図である。
【符号の説明】
【００１６】
１  水泳用ゴーグル                    ２  左リム
３  右リム                            ４  連接フレーム
５  レンズ                            ２０、３０  内表面
２１、３１  外表面                    ２２、３２  周面
２３、３３  ヘッドバンド連接シート    ２４、３４  支持体
２８、３８  被覆枠                    ２９、３９  延伸部
４０  ブリッジ                        ４１  左保護パッド
４２  右保護パッド                    ４３  連接部
８０  折り曲げ点                      ２０１、３０１  収容溝
２３１、３３１  本体                  ２３２、３３２  ヘッドバンド穿孔
２３３、３３３  連接体                ４０１、４０２  組付け溝
【図１】
0003105097.tif 000003
【図２】
0003105097.tif 000004
【図３】
0003105097.tif 000005
【図４】
0003105097.tif 000006
【図５】
0003105097.tif 000007
【図６】
0003105097.tif 000008
【図７】
0003105097.tif 000009